(57)【要約】【課題】  所望の角度状態あるいは水平状態において確実に撮影を行なうことのできるカメラを提供すること。【解決手段】  角度状態を検出する角度センサ５と、この角度センサ５に所望の角度状態を検出させる設定を行なう検出角度設定手段６とを備え、前記検出角度設定手段６において前記角度センサ５により検出される角度状態の設定を行なった際に、前記角度センサ５が前記検出角度設定手段６により設定された所望の角度状態を検出した場合にのみ撮影機能が作動する構成。【選択図】      図１
2006039264.tif 000002
【特許請求の範囲】
【請求項１】
角度状態を検出する角度センサと、この角度センサに所望の角度状態を検出させる設定を行なう検出角度設定手段とを備え、前記検出角度設定手段において前記角度センサにより検出される角度状態の設定を行なった際に、前記角度センサが前記検出角度設定手段により設定された所望の角度状態を検出した場合にのみ撮影機能が作動することを特徴とするカメラ。
【請求項２】
前記角度センサが水平センサであり、前記所望の角度状態が水平状態であることを特徴とする請求項１に記載のカメラ。
【請求項３】
前記水平センサが、
絶縁性材料から形成され内部が空洞に形成された収納体と、
絶縁性材料から形成され前記収納体を封止する蓋部材と、
前記収納体の内部を自在に移動する導電性を有する球体と、
前記収納体の内周面の下方に突起して配設され、前記収納体が水平である際に前記球体に接触する少なくとも３つの電極と、
前記各電極に接続されるとともに、それぞれ外部に引き出されて制御装置に接続される端子と、
から構成されていることを特徴とする請求項２に記載のカメラ。
【請求項４】
前記水平センサが、
絶縁性材料から形成され内部が空洞に形成された球状の収納体と、
前記収納体の内部を自在に移動する導電性を有する球体と、
前記収納体の内周面の下方に突起して配設され、前記収納体が水平である際に前記球体に接触する少なくとも３つの電極と、
前記収納体の水平方向において最も外側となる内周面の少なくとも一方に突起して配設され、前記収納体が垂直である際に前記球体に接触する少なくとも３つの電極と、
前記各電極に接続されるとともに、それぞれ外部に引き出されて制御装置に接続される端子と、
から構成されていることを特徴とする請求項２に記載のカメラ。
【請求項５】
前記角度センサを２つ以上備えていることを特徴とする請求項１乃至請求項４に記載のカメラ。
【請求項６】
前記角度センサにより検出された角度状態を表示する表示手段を配設したことを特徴とする請求項１乃至請求項５に記載のカメラ。
【請求項７】
前記検出角度設定手段により設定された角度状態を前記角度センサが検出した際に、設定された角度状態であることを報知する報知手段を配設したことを特徴とする請求項１乃至請求項５に記載のカメラ。
【請求項８】
絶縁性材料から形成され内部が空洞に形成された収納体と、
絶縁性材料から形成され前記収納体を封止する蓋部材と、
前記収納体の内部を自在に移動する導電性を有する球体と、
前記収納体の内周面の下方に突起して配設され、前記収納体が水平である際に前記球体に接触する少なくとも３つの電極と、
前記角電極に接続されるとともに、それぞれ外部に引き出されて制御装置に接続される端子と、
から構成されていることを特徴とする水平センサ。
【発明の詳細な説明】
【技術分野】
【０００１】
本発明はカメラおよびこれに使用される水平センサに係り、特に、所望の角度状態において撮影を行なうことのできるカメラおよびこれに使用される水平センサに関する。
【背景技術】
【０００２】
従来から、ビデオカメラやデジタルカメラなどのカメラにおいて、被写体に対してカメラのレンズを水平に位置させるため、カメラ内に水平センサ等の検出器を配設したものがある。
【０００３】
このような従来のカメラの一例としては、主に、ビューファインダー内の所定位置に固設された水準器と、採光窓と、シャッターと、ミラーと、液晶表示装置や陰極線管（ＣＲＴ）でなる表示器およびレンズとを有している。
【０００４】
前記水準器は、ゆるやかなＲ形状（円弧の一部）の透明密封容器内に、気泡が残るように液体を満たした構造をなしている。そして、前記密封容器内の気泡は、傾きに応じて前記密封容器内を移動し、水平な地面に対して常に最も高い位置で安定するようになっている。なお、前記水準器には水平点を示す目印が描かれており、この目印と前記気泡とが一致すれば水準器が水平であることを認識できるようになっている。
【０００５】
このような構成からなる従来のカメラによれば、まず、前記シャッターを開蓋して前記採光窓から外光を取り込まれ、この外光はその真下に配置された前記水準器に入射される。そして、前記水準器は前記ビューファインダーに固定されているため、カメラの傾きに応じて傾き、前記水準器を透過した外光はその下に配置されたミラーによって曲げられ、前記表示器に映出された映像とともにレンズにて拡大されて使用者の眼球に届いて認識され、使用者は前記表示器において映像とともに前記水準器の平行度を同時に認識することができ、平行を保ったビデオ撮影を行うことができる（例えば、特許文献１参照）。
【０００６】
【特許文献１】特開平１０−５１６６７号公報
【発明の開示】
【発明が解決しようとする課題】
【０００７】
しかしながら前述したような従来のカメラにおいては、水準器において水平を示している場合においても、カメラを固定していない限り撮影を行なう際に手ぶれなどによって傾いて撮影してしまう場合が生じるという問題があった。
【０００８】
また、前述したような従来のカメラにおいては、水準器が水平状態あるいは平行状態を目印と気泡の位置関係により判断しなければならなく、正確な水平状態あるいは角度状態を判断することが困難であった。
【０００９】
そこで、本発明は所望の角度状態あるいは水平状態において確実に撮影を行なうことのできるカメラおよびこれに使用される水平センサを提供することを目的とするものである。
【課題を解決するための手段】
【００１０】
前述した目的を達成するため本発明に係るカメラの特徴は、角度状態を検出する角度センサと、この角度センサに所望の角度状態を検出させる設定を行なう検出角度設定手段とを備え、前記検出角度設定手段において前記角度センサにより検出される角度状態の設定を行なった際に、前記角度センサが前記検出角度設定手段により設定された所望の角度状態を検出した場合にのみ撮影機能が作動する点にある。
【００１１】
このような構成を採用したことにより、検出角度設定手段により所望の角度状態を設定することにより、設定された角度状態となった場合にのみ撮影を行なうことができるため、手ぶれなどにより設定された所望の角度状態が崩れた状態で撮影を行なってしまうことを防止することができる。また、検出角度設定手段により所望の角度状態を設定しない場合には、通常の撮影を行なうことができる。
【００１２】
また、本発明に係るカメラの他の特徴は、前記角度センサが水平センサであり、前記所望の角度状態が水平状態である点にある。
【００１３】
このような構成を採用したことにより、検出角度設定手段により水平センサにより水平状態を検出するように設定することにより、水平状態となった場合にのみ撮影を行なうことができるため、カメラあるいはカメラを備えた電気機器が傾いた状態において撮影をしてしまうことを防止することができる。
【００１４】
また、本発明に係るカメラの他の特徴は、前記水平センサが、絶縁性材料から形成され内部が空洞に形成された収納体と、絶縁性材料から形成され前記収納体を封止する蓋部材と、前記収納体の内部を自在に移動する導電性を有する球体と、前記収納体の内周面の下方に突起して配設され、前記収納体が水平である際に前記球体に接触する少なくとも３つの電極と、前記各電極に接続されるとともに、それぞれ外部に引き出されて制御装置に接続される端子と、から構成されている点にある。
【００１５】
このような構成を採用したことにより、水平センサが水平状態にある場合、導電性を有する球体が収納体の最下方に移動して収納体の内周面の下方に配設された各電極に接触し、球体を介して各電極が導通することにより水平センサが水平状態であることを正確に検出することができ、カメラの正位置である水平状態を正確に検出することができる。ここで、収納体および蓋部材は、一体に形成してもよいし、別体に形成してもよい。
【００１６】
また、本発明に係るカメラの他の特徴は、前記水平センサが、絶縁性材料から形成され内部が空洞に形成された球状の収納体と、前記収納体の内部を自在に移動する導電性を有する球体と、前記収納体の内周面の下方に突起して配設され、前記収納体が水平である際に前記球体に接触する少なくとも３つの電極と、前記収納体の水平方向において最も外側となる内周面の少なくとも一方に突起して配設され、前記収納体が垂直である際に前記球体に接触する少なくとも３つの電極と、前記各電極に接続されるとともに、それぞれ外部に引き出されて制御装置に接続される端子と、から構成されている点にある。
【００１７】
このような構成を採用したことにより、水平センサが水平状態にある場合、導電性を有する球体が収納体の最下方に移動して収納体の内周面の下方に配設された各電極に接触し、球体を介して各電極が導通することにより水平センサが水平状態であることを正確に検出することができ、カメラの正位置である水平状態を正確に検出することができるとともに、水平センサが垂直である場合、導電性を有する球体が収納体の水平方向において最も外側となる内周面に配設された各電極に接触し、球体を介して各電極が導通することにより水平センサが垂直状態であることを正確に検出することができ、カメラを縦にして使用した際の水平状態を正確に検出することができる。
【００１８】
また、本発明に係るカメラの他の特徴は、前記角度センサを２つ以上備えている点にある。
【００１９】
このような構成を採用したことにより、各方向における角度状態を検出することができ、より細かい角度状態の設定を行なうことができる。また、水平センサを複数配設することにより、カメラの各使用状態における水平状態を検出することができる。
【００２０】
また、本発明に係るカメラの他の特徴は、前記角度センサにより検出された角度状態を表示する表示手段を配設した点にある。
【００２１】
このような構成を採用したことにより、検出角度設定手段により検出角度が設定されていない場合にはそのときのカメラの角度状態を確認することができ、検出角度設定手段により検出角度が設定されている場合にはカメラが設定された角度状態になっているかを確認することができるとともに、設定された角度状態と実際の角度状態とを比較して確認することができる。
【００２２】
また、本発明に係るカメラの他の特徴は、前記検出角度設定手段により設定された角度状態を前記角度センサが検出した際に、設定された角度状態であることを報知する報知手段を配設した点にある。
【００２３】
このような構成を採用したことにより、例えば、ＬＥＤ等の発光体やバイブレータ等の振動器を配設し、カメラあるいはカメラを備えた電気機器が検出角度設定手段により設定された角度状態になった際に、発光体を発光させたり、振動器を一時的に振動させることにより、カメラが検出角度設定手段により設定された角度状態になっていることを報知することができる。
【００２４】
また、本発明に係る水平センサの特徴は、絶縁性材料から形成され内部が空洞に形成された収納体と、絶縁性材料から形成され前記収納体を封止する蓋部材と、前記収納体の内部を自在に移動する導電性を有する球体と、前記収納体の内周面の下方に突起して配設され、前記収納体が水平である際に前記球体に接触する少なくとも３つの電極と、前記角電極に接続されるとともに、それぞれ外部に引き出されて制御装置に接続される端子と、から構成されている点にある。
【００２５】
このような構成を採用したことにより、導電性の球体が３つの電極に接触し、球体を介して各電極が通電した場合にのみ水平を検出するため、正確に水平状態を検出することができる。
【発明の効果】
【００２６】
本発明におけるカメラによれば、検出角度設定手段より設定を行なうことにより、所望の角度状態あるいは水平状態を正確に検出して、所望の角度状態あるいは水平状態となった場合にのみ撮影を行なうことができるため、手ぶれなどにより設定した所望の角度状態あるいは水平状態が崩れた状態で撮影を行なってしまうことを防止することができる。
【００２７】
また、複数の角度センサを配設することにより様々な角度状態あるいは水平状態を検出することができるようになり、検出角度設定手段により様々な角度状態あるいは水平状態の設定を行なうことができる。
【００２８】
さらに、報知手段あるいは表示手段により角度状態あるいは水平状態の確認が容易となり、角度状態あるいは水平状態の位置合わせを容易に行なうことができる。
【００２９】
そして、本発明の水平センサによれば、導電性の球体が３つの電極に接触し、球体を介して各電極が通電した場合にのみ水平を検出するため、正確に水平状態を検出することができ、この水平センサをカメラに配設することにより正確な水平状態においてカメラの撮影を行うことができる。
【発明を実施するための最良の形態】
【００３０】
以下、図面を用いて本発明に係るカメラおよびこれに使用される水平センサの実施形態について説明する。
【００３１】
図１は本第１実施形態のカメラの構成を示すブロック図である。
【００３２】
本第１実施形態のカメラ１は、図１に示すように、主に、レンズ３を有する撮影手段２と、前記撮影手段２を駆動させる撮影ボタン４と、カメラ１（レンズ３）の光軸が当該光軸を通る鉛直面内における上下方向の傾斜角度からなる角度状態を検出する第１の角度センサ５ａと、カメラ１の光軸回りの左右方向の傾斜角度からなる角度状態を検出する第２の角度センサ５ｂと、前記各角度センサ５ａ，５ｂの検出角度状態の設定を行なう検出角度設定手段６と、前記撮影手段２の制御を行なう制御装置７と、前記各角度センサ５ａ，５ｂによりそれぞれ検出された角度状態を表示するとともに、前記各角度センサ５ａ，５ｂが前記検出角度設定手段６により設定された角度状態をそれぞれ検出しているかどうかをカメラ１のファインダ内に表示する表示手段８とを有している。なお、デジタルカメラなどあらかじめ被写体を確認する液晶表示装置を備えているカメラの場合は、前記表示手段８を配設しないで液晶表示装置内に表示するものとしてもよい。
【００３３】
本実施形態において前記角度センサ５ａと前記角度センサ５ｂはそれぞれ振り子型の傾斜センサが使用されており、前記角度センサ５ａは振り子（図示せず）が前記レンズ３の光軸を通る鉛直面内において光軸上の１点を中心として回動するように配置され、前記角度センサ５ｂは振り子（図示せず）が前記レンズ３の光軸回りに回動するように配置されている。そして、前記各角度センサ５ａ，５ｂにおいて前記検出角度設定手段６により設定された所望の角度状態がそれぞれ検出されると、前記制御装置７によって前記撮影手段２が作動可能に制御されるようになっている。また、前記角度センサ５ａ，５ｂにおいて前記検出角度設定手段６より設定された所望の角度状態が検出されない場合には、前記制御装置７によって前記撮影手段２が作動できないように制御されるようになっている。
【００３４】
つぎに、前述した構成からなる本第１実施形態のカメラ１の作用について、一例として正位置である水平状態で撮影を行なう場合を例に説明する。
【００３５】
まず、検出角度設定手段６により各角度センサ５ａ，５ｂが水平状態を検出するように設定を行なう。
【００３６】
つぎに、レンズ３を被写体（図示せず）に向け、カメラ１が正位置である水平状態になるように角度の調節を行なう。このとき、表示手段８には各角度センサ５ａ，５ｂが検出している傾斜角度が表示され、各角度センサ５ａ，５ｂがそれぞれ水平状態を検出すると水平状態であることが表示され、制御装置７によって撮影手段２が作動可能となる。また、各角度センサ５ａ，５ｂが水平状態を検出していない場合には、制御装置７によって撮影手段２が作動できないように制御される。
【００３７】
そして、各角度センサ５ａ，５ｂが水平状態を検出し、表示手段８に水平状態であることが表示されて撮影可能となった状態において撮影ボタン４を操作して撮影手段２を駆動させて撮影を行なうことにより、被写体に対してカメラ１（レンズ３）が水平の状態で撮影することができる。このため、検出角度設定手段６において設定された所望の角度状態以外での撮影を防止することができ、設定された所望の傾斜角度において確実に撮影を行なうことができる。
【００３８】
なお、本実施形態においては、水平状態で撮影を行なう場合を例に説明したが、検出角度設定手段６により所望の角度状態を設定することにより、所望の角度状態においての撮影を行なうことができ、所望の角度状態以外での撮影を防止することができる。
【００３９】
さらに、検出角度設定手段６により所望の傾斜角度の設定を行なわない場合には、自由状態における通常の撮影を行なうことができる。
【００４０】
つぎに、本発明に係るカメラの第２実施形態について説明する。
【００４１】
図２は本第２実施形態のカメラの構成を示すブロック図、図３は水平センサの一実施形態を示す斜視図、図４は水平センサの他の実施形態を示す縦断面図である。なお、本第２実施形態において本第１実施形態と同様の構成からなる部品については同様の符号をもって示す。
【００４２】
本第２実施形態のカメラ１１は、図２に示すように、主に、レンズ３を有する撮影手段２と、前記撮影手段２を駆動させる撮影ボタン４と、カメラ１の正位置である水平状態からなる角度状態を検出する水平センサ１２ａと、カメラ１を縦にして使用した際の水平状態からなる角度状態を検出する水平センサ１２ｂと、前記水平センサ１２ａあるいは前記水平センサ１２ｂによる水平状態の検出および前記各水平センサ１２ａ，１２ｂによる水平状態の非検出の切替を行なう検出角度設定手段（切替手段）１３と、前記撮影手段２の制御を行なう制御装置７と、前記水平センサ１２ａあるいは水平センサ１２ｂにより水平状態が検出された際に水平状態であることを発光して報知するＬＥＤ等からなる報知手段１４とを有している。
【００４３】
前記各水平センサ１２ａ，１２ｂは、図３に示すように、絶縁性材料から形成され内部が空洞に形成された半球状の収納体１５と、この収納体１５の内周面の鉛直方向における最下方の同一水平高さ位置に突起して配設された３つの電極１６と、前記各電極１６にそれぞれ接続され前記カメラ１の制御装置７に接続された端子１７と、前記収納体１５内に収納された導電性の球体１８と、前記収納体１５を封止する絶縁性材料から平板状に形成された蓋部材１９とから構成されており、前記球体１８が前記各電極１６と接触して前記各電極１６が前記球体１８を介して導通することにより水平状態を検出するようになっている。なお、収納体１５としては矩形箱状に形成してもよい。また、前記球体１８は導電性材料で形成してもよいし、非導電性材料から形成された球体に導電性のメッキを施して形成してもよい。
【００４４】
そして、本実施形態においては、前記水平センサ１２ａは前記各電極１６が最下方に位置するように前記カメラ１１に配設され、前記水平センサ１２ｂは前記各電極１６が前記カメラ１１を縦にして使用した際に最下方に位置するように前記カメラ１１に配設されている。
【００４５】
前記制御装置７は、前記検出角度設定手段１３により前記カメラ１１の正位置である水平状態を検出するように設定された場合、一方の前記水平センサ１２ａの球体１８が各電極１６に接触し、前記球体１８を介して各電極１６が導通した際に報知手段１４を発光させて水平状態であることを報知するとともに、前記撮影手段２を作動可能に制御する。また、前記制御手段７は前記検出角度設定手段１３により前記カメラ１１を縦にして使用した際の水平状態を検出するように設定した場合、他方の前記水平センサ１２ｂの球体１８が各電極１６に接触し、前記球体１８を介して各電極１６が導通した際に報知手段１４を発光させて水平状態であることを報知するとともに、前記撮影手段２を作動可能に制御するようになっている。
【００４６】
つぎに、前述した構成からなる本第２実施形態のカメラ１１の作用について説明する。
【００４７】
まず、検出角度設定手段１３により、カメラ１１の正位置である水平状態の検出あるいはカメラ１１を縦にして使用した際の水平状態の検出の設定の切替を行なう。
【００４８】
ここで、検出角度設定手段１３によりカメラ１１の正位置である水平状態の検出の設定を行なった場合、レンズ３を被写体（図示せず）に向け、カメラ１１が正位置である水平状態になるように角度の調節を行なう。
【００４９】
そして、カメラ１１が水平状態になると、水平センサ１２ａの球体１８が収納体１５の最下方に配設された各電極１６と接触し、各電極１６が球体１８を介して導通して水平状態が検出され、カメラ１１の報知手段１４が発光して水平状態であることを報知するとともに、撮影手段２が作動可能となる。
【００５０】
そして、報知手段１４が発光して水平状態であることが報知され、撮影可能となった状態において撮影ボタン４を操作して撮影手段２を駆動させて撮影を行なうことにより、被写体に対してカメラ１１（レンズ３）が水平の状態で撮影することができ、カメラ１１（レンズ３）が水平に対して傾いた状態での撮影を防止することができる。
【００５１】
また、検出角度設定手段１３によりカメラ１１を縦にして使用した際の水平状態の検出の設定を行なった場合、レンズ３を被写体（図示せず）に向け、カメラ１１を縦にした状態で水平状態になるように角度の調節を行なう。
【００５２】
そして、カメラ１１が水平状態になると、水平センサ１２ｂの球体１８が収納体１５の最下方に配設された各電極１６と接触し、各電極１６が球体１８を介して導通して水平状態が検出され、カメラ１１の報知手段１４が発光してカメラ１１を縦にした状態において水平状態であることを報知するとともに、撮影手段２が作動可能となる。
【００５３】
そして、報知手段１４が発光して水平状態であることが報知され、撮影可能となった状態において撮影ボタン４を操作して撮影手段２を駆動させて撮影を行なうことにより、カメラ１１を縦にした状態においてレンズ３が被写体に対して水平の状態で撮影することができ、レンズ３が水平に対して傾いた状態での撮影を防止することができる。
【００５４】
なお、検出角度設定手段１３により水平状態の検出の設定を行なわない場合には、自由状態における通常の撮影を行なうことができる。
【００５５】
また、本第２実施形態においては、カメラ１１の正位置である水平状態を検出する水平センサ１２ａと、カメラ１１を縦にして使用した際の水平状態を検出する水平センサ１２ｂとを配設しているが、カメラ１１の正位置である水平状態およびカメラ１１を縦にして使用した際の水平状態を検出することのできる図４に示すような水平センサ２１を使用することも可能である。
【００５６】
前記水平センサ２１は、内部が空洞に形成された球状の収納体２２と、この収納体２２の内周面の鉛直方向における最下方の同一水平高さ位置に突起して配設された３つの電極２３と、前記収納体２２の内周面の水平方向における一方（本実施形態においては右方）の最も外側に突起して配設された３つの電極２４と、前記各電極２３および前記各電極２４にそれぞれ接続され前記収納体２２の外方に引き出された端子２５，２６と、前記収納体２２内に収納された導電性の球体２７とから構成されている。なお、前記収納体２２は非導電性材料、例えば樹脂等から形成された半球体を接着等により貼り合わせて形成されている。また、前記球体２７は導電性材料で形成してもよいし、非導電性材料から形成された球体に導電性のメッキを施して形成してもよい。
【００５７】
前記各電極２３は、前記水平センサ２１を水平状態にした際に、前記球体２７が前記収納体２２の最下点に移動して３つの電極２３と同時に接触し、前記球体２７を介して導通するように配設されている。
【００５８】
また、前記各電極２４は、前記水平センサ２１を垂直にした際に、前記球体２７が９０°回転した前記収納体２２の最下方に移動して３つの電極２４と同時に接触し、前記球体２７を介して導通するように配設されている。
【００５９】
このような構成からなる水平センサ２１を前記カメラ１１に配設することにより、カメラ１１の正位置である水平状態とカメラ１１を縦にして使用した際の水平状態とを検出することができる。
【００６０】
なお、本発明は、前述した実施の形態に限定されるものではなく、必要に応じて種々の変更が可能である。例えば、各実施形態において、撮影手段の作動の制御を制御装置により行なっているが、撮影ボタンの操作を規制するロック機構を設けるようにしてもよい。
【００６１】
また、本実施形態において報知手段はＬＥＤ等からなる発光体を配設して光により報知するものとしているが、例えば、バイブレータやブザー等を配設し、検出角度設定手段により設定された傾斜角度を検出した際に一時的に振動若しくは発音して報知するものなど、様々な手段により代用可能である。
【００６２】
さらに、本実施形態においてはカメラに角度センサあるいは水平センサを備え、所望の角度状態になった際に撮影を行なうことのできる構成であったが、カメラを備えた電気機器、例えば、カメラ付携帯電話等にも同様の構成を採用することができる。このとき、電気機器に配設されたカメラあるいは電気機器自体に角度センサあるいは水平センサを配設してもよい。
【図面の簡単な説明】
【００６３】
【図１】本第１実施形態のカメラの構成を示すブロック図
【図２】本第２実施形態のカメラの構成を示すブロック図
【図３】水平センサの一実施形態を示す斜視図
【図４】水平センサの他の実施形態を示す縦断面図
【符号の説明】
【００６４】
１  カメラ
２  撮影手段
３  レンズ
４  撮影ボタン
５  角度センサ
６  検出角度設定手段
７  制御装置
８  表示手段
１１  カメラ
１２  水平センサ
１３  検出角度設定手段
１４  報知手段
１５  収納体
１６  電極
１７  端子
１８  球体
１９  蓋部材
２１  水平センサ
２２  収納体
２３，２４  電極
２５，２６  端子
２７  球体
【図１】
2006039264.tif 000003
【図２】
2006039264.tif 000004
【図３】
2006039264.tif 000005
【図４】
2006039264.tif 000006